(57)【要約】【課題】アイソレーション特性の向上が図れる方向性結合器を提供する。【解決手段】方向性結合器は、素体内に、主線路と、主線路と電磁結合する副線路と、積層方向において主線路及び副線路を間に挟む位置に対向して配置された第１グランド層及び第２グランド層と、第１グランド層又は第２グランド層と電気的に接続された補助グランド層と、が設けられており、補助グランド層は、主線路と副線路とが積層方向で重ならない部分であり且つ第１グランド層との間の距離と第２グランド層との間の距離とが異なる部分と、積層方向において対向して配置されており、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、ａ＞ｃ≧ｂの関係を満たす。【選択図】図４
2018074433.tif 000002
【特許請求の範囲】
【請求項１】
複数の絶縁体層が積層されることにより形成された素体と、
前記素体の外表面に配置された入力端子及び出力端子と、を備え、
前記素体内には、
前記入力端子と前記出力端子との間に接続された主線路と、
複数の前記絶縁体層の積層方向において少なくとも一部が前記主線路と重なると共に、前記主線路と電磁結合する副線路と、
前記積層方向において前記主線路及び前記副線路を間に挟む位置に対向して配置された第１グランド層及び第２グランド層と、
前記第１グランド層又は前記第２グランド層と電気的に接続された補助グランド層と、が設けられており、
前記補助グランド層は、前記主線路と前記副線路とが前記積層方向で重ならない部分であり且つ前記第１グランド層との間の距離と前記第２グランド層との間の距離とが異なる前記重ならない部分と、前記積層方向において対向して配置されており、
前記重ならない部分と前記第１グランド層との間の距離及び前記重ならない部分と前記第２グランド層との間の距離のうち、距離が長い方を第１距離ａ、距離が短い方を第２距離ｂ、前記重ならない部分と前記補助グランド層との間の第３距離をｃとした場合、
ａ＞ｃ≧ｂ
の関係を満たす、方向性結合器。
【請求項２】
前記補助グランド層は、前記第２距離ｂと前記第３距離ｃとが等しくなる位置に設けられている、請求項１に記載の方向性結合器。
【請求項３】
前記補助グランド層は、前記積層方向において複数設けられている、請求項１又は２に記載の方向性結合器。
【請求項４】
前記補助グランド層は、前記第１グランド層又は前記第２グランド層とスルーホール導体により電気的に接続されている、請求項１〜３のいずれか一項に記載の方向性結合器。
【請求項５】
前記副線路は、互いに電気的に接続された第１副線路及び第２副線路により構成されており、
前記第１副線路及び前記第２副線路は、前記積層方向において前記主線路を挟む位置に配置されている、請求項１〜４のいずれか一項に記載の方向性結合器。
【発明の詳細な説明】
【技術分野】
【０００１】
本発明は、方向性結合器に関する。
【背景技術】
【０００２】
従来の方向性結合器として、例えば、特許文献１に記載されたものが知られている。特許文献１に記載の方向性結合器は、第１の端子〜第４の端子と、第１の端子と第２の端子との間に接続されている主線路と、第３の端子に接続され、且つ主線路と電磁気的に結合している第１の副線路と、第４の端子に接続され、且つ主線路と電磁気的に結合している第２の副線路と、第１の副線路と第２の副線路との間に接続されており、位相のずれを通過信号に対して生じさせる位相変換部と、を備えている。方向性結合器では、主線路、第１の副線路及び第２の副線路は、グランドに接続される一対のグランド層の間に配置されている。
【先行技術文献】
【特許文献】
【０００３】
【特許文献１】特開２０１３−５０７６号公報
【発明の概要】
【発明が解決しようとする課題】
【０００４】
従来の方向性結合器のように、主線路及び副線路は、一対のグランド層の間に配置されている。主線路及び副線路は、一対のグランド層の対向方向において、異なる位置に配置される。この構成では、主線路と一方のグランド層との間の距離と、主線路と他方のグランド層との間の距離とが異なる。同様に、副線路と一方のグランド層との距離と、副線路と他方のグランド層との間の距離とが異なる。この場合、主線路と副線路とが重ならない部分において、主線路及び副線路にインピーダンスのずれが生じ得る。その結果、アイソレーション特性が悪化するおそれがある。
【０００５】
本発明は、アイソレーション特性の向上が図れる方向性結合器を提供することを目的とする。
【課題を解決するための手段】
【０００６】
本発明の一側面に係る方向性結合器は、複数の絶縁体層が積層されることにより形成された素体と、素体の外表面に配置された入力端子及び出力端子と、を備え、素体内には、入力端子と出力端子との間に接続された主線路と、複数の絶縁体層の積層方向において少なくとも一部が主線路と重なると共に、主線路と電磁結合する副線路と、積層方向において主線路及び副線路を間に挟む位置に対向して配置された第１グランド層及び第２グランド層と、第１グランド層又は第２グランド層と電気的に接続された補助グランド層と、が設けられており、補助グランド層は、主線路と副線路とが積層方向で重ならない部分であり且つ第１グランド層との間の距離と第２グランド層との間の距離とが異なる重ならない部分と、積層方向において対向して配置されており、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、ａ＞ｃ≧ｂの関係を満たす。
【０００７】
本発明の一側面に係る方向性結合器では、素体内に、補助グランド層が設けられている。補助グランド層は、主線路と副線路とが積層方向で重ならない部分で且つ第１グランド層との間の距離と第２グランド層との間の距離とが異なる上記重ならない部分と、積層方向において対向して配置されている。方向性結合器では、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、ａ＞ｃ≧ｂの関係を満たす。この構成では、補助グランド層により、主線路と副線路とが重ならない部分における第３距離ｃと第２距離ｂとの距離の差を小さくできる。したがって、方向性結合器では、主線路と副線路とが重ならない部分において、インピーダンスにずれが生じることを抑制できる。したがって、方向性結合器では、アイソレーション特性の向上が図れる。
【０００８】
一実施形態においては、補助グランド層は、第２距離ｂと第３距離ｃとが等しくなる位置（ｂ＝ｃ）に設けられていてもよい。これにより、方向性結合器では、主線路と副線路とが重ならない部分において、インピーダンスにずれが生じることをより一層抑制できる。したがって、方向性結合器では、アイソレーション特性の向上が図れる。
【０００９】
一実施形態においては、補助グランド層は、積層方向において複数設けられていてもよい。この構成では、補助グランド層の位置の調整を容易に行うことができる。したがって、主線路と副線路とが重ならない部分と補助グランド層との間の距離を容易に調整できる。
【００１０】
一実施形態においては、補助グランド層は、第１グランド層又は第２グランド層とスルーホール導体により電気的に接続されていてもよい。この構成では、補助グランド層と第１グランド層又は第２グランド層とを確実に電気的に接続することができる。
【００１１】
一実施形態においては、副線路は、互いに電気的に接続された第１副線路及び第２副線路により構成されており、第１副線路及び第２副線路は、積層方向において主線路を挟む位置に配置されていてもよい。この構成では、主線路との結合値を増加させることができる。また、この構成では、第１副線路及び第２副線路が配置される位置が異なるため、第１副線路及び第２副線路のそれぞれにおいて、第１グランド層又は第２グランド層との距離が大幅に異なるため、補助グランド層を設ける構成は特に有効である。
【発明の効果】
【００１２】
本発明の一側面によれば、アイソレーション特性の向上が図れる。
【図面の簡単な説明】
【００１３】
【図１】図１は、第１実施形態に係る積層型カプラの等価回路を示す図である。
【図２】図２は、積層型カプラを示す斜視図である。
【図３】図３は、素体の分解斜視図である。
【図４】図４は、素体内の構成を示す斜視図である。
【図５】図５は、導体層の一部を積層方向から見た図である。
【図６】図６は、素体内の構成を一方の端面側から見た図である。
【図７】図７は、素体内の構成を他方の端面側から見た図である。
【図８】図８は、アイソレーション特性を示す図である。
【図９】図９は、第２実施形態に係る積層型カプラの等価回路を示す図である。
【図１０】図１０は、素体の分解斜視図である。
【図１１】図１１は、素体内の構成を示す斜視図である。
【図１２】図１２は、素体内の構成を示す斜視図である。
【図１３】図１３は、素体内の構成を一方の端面側から見た図である。
【図１４】図１４は、素体内の構成を他方の端面側から見た図である。
【発明を実施するための形態】
【００１４】
以下、添付図面を参照して、本発明の好適な実施形態について詳細に説明する。なお、図面の説明において同一又は相当要素には同一符号を付し、重複する説明は省略する。
【００１５】
［第１実施形態］
図１に示されるように、積層型カプラ（方向性結合器）１は、入力ポート（入力端子）２と、出力ポート（出力端子）３と、結合ポート４と、終端ポート５と、を備えている。積層型カプラ１は、入力ポート２と出力ポート３との間に接続される主線路６と、主線路６と電磁結合する第１副線路７及び第２副線路８と、第１副線路７と第２副線路８との間に接続された位相調整回路９と、を備えている。
【００１６】
主線路６は、第１副線路７と電磁結合する第１部分６Ａと、第２副線路８と電磁結合する第２部分６Ｂと、を有している。第１部分６Ａと第１副線路７とが結合する部分を、第１結合部１０Ａとする。第２部分６Ｂと第２副線路８とが結合する部分を、第２結合部１０Ｂとする。第１副線路７は、第１端部７ａ及び第２端部７ｂを有している。第１端部７ａは、結合ポート４に電気的に接続されている。第２副線路８は、第１端部８ａ及び第２端部８ｂを有している。第１端部８ａは、終端ポート５に電気的に接続されている。
【００１７】
位相調整回路９は、第１副線路７と第２副線路８とを電気的に接続する第１経路９Ａと、第１経路９ＡとグランドＧとを接続する第２経路９Ｂと、を有している。第１経路９Ａは、第１インダクタＬ１と、第２インダクタＬ２と、有している。第２経路９Ｂは、キャパシタＣ１を有している。
【００１８】
第１インダクタＬ１は、第１端部Ｌ１ａ及び第２端部Ｌ１ｂを有している。第２インダクタＬ２は、第１端部Ｌ２ａ及び第２端部Ｌ２ｂを有している。第１インダクタＬ１の第１端部Ｌ１ａは、第１副線路７の第２端部７ｂに電気的に接続されている。第１インダクタＬ１の第２端部Ｌ１ｂは、第２インダクタＬ２の第２端部Ｌ２ｂに電気的に接続されている。第２インダクタＬ２の第１端部Ｌ２ａは、第２副線路８の第２端部８ｂに電気的に接続されている。
【００１９】
積層型カプラ１では、入力ポート２から高周波信号が入力され、当該高周波信号が出力ポート３から出力される。結合ポート４は、入力ポート２に入力された高周波信号に応じた電力を有する結合信号が出力される。
【００２０】
入力ポート２と結合ポート４の間には、第１結合部１０Ａを経由する第１信号経路と、第２結合部１０Ｂ及び位相調整回路９を経由する第２信号経路と、が形成される。入力ポート２に高周波信号が入力されたとき、結合ポート４から出力される結合信号は、第１信号経路を通過した信号と第２信号経路を通過した信号が合成されて得られる信号である。第１信号経路を通過した信号と第２信号経路を通過した信号との間には位相差が生じる。積層型カプラ１の結合度は、第１結合部１０Ａと第２結合部１０Ｂのそれぞれ単独の結合度と、第１信号経路を通過した信号と第２信号経路を通過した信号の位相差とに依存する。
【００２１】
出力ポート３と結合ポート４の間には、第１結合部１０Ａを経由する第３の信号経路と、第２結合部１０Ｂ及び位相調整回路９を経由する第４信号経路とが形成される。積層型カプラ１のアイソレーションは、第１結合部１０Ａと第２結合部１０Ｂとのそれぞれ単独の結合度と、第３信号経路を通過した信号と第４信号経路を通過した信号の位相差とに依存する。第１結合部１０Ａ、第２結合部１０Ｂ及び位相調整回路９は、高周波信号の周波数の変化に伴う積層型カプラ１の結合度の変化を抑制する機能を有する。
【００２２】
続いて、積層型カプラ１の構造について説明する。図２に示されるように、積層型カプラ１は、素体２０と、第１端子電極２１と、第２端子電極２２と、第３端子電極２３と、第４端子電極２４と、第５端子電極２５と、第６端子電極２６と、を備えている。
【００２３】
素体２０は、直方体形状を呈している。素体２０は、その外表面として、互いに対向する一対の端面２０ａ，２０ｂと、一対の端面２０ａ，２０ｂの間を連結するように延びており且つ互いに対向している一対の主面２０ｃ，２０ｄと、一対の主面２０ｃ，２０ｄの間を連結するように延びており且つ互いに対向している一対の側面２０ｅ，２０ｆと、を有している。主面２０ｄは、例えば積層型カプラ１を図示しない他の電子機器（例えば、回路基板、又は、電子部品など）に実装する際、他の電子機器と対向する面として規定される。
【００２４】
各端面２０ａ，２０ｂの対向方向と、各主面２０ｃ，２０ｄの対向方向と、各側面２０ｅ，２０ｆの対向方向とは、互いに略直交している。なお、直方体形状には、角部及び稜線部が面取りされている直方体の形状、及び、角部及び稜線部が丸められている直方体の形状が含まれる。
【００２５】
素体２０は、複数の絶縁体層２７（２７ａ〜２７ｒ）（図３参照）が積層されることによって構成されている。各絶縁体層２７は、素体２０の各主面２０ｃ，２０ｄの対向方向に積層されている。すなわち、各絶縁体層２７の積層方向は、素体２０の各主面２０ｃ，２０ｄの対向方向と一致している。以下、各主面２０ｃ，２０ｄの対向方向を「積層方向」ともいう。各絶縁体層２７は、略矩形形状を呈している。絶縁体層２７ａは、素体２０の最上層であり、主面２０ｃを構成している。絶縁体層２７ｒは、素体２０の最下層であり、主面２０ｄを構成している。実際の素体２０では、各絶縁体層２７は、その層間の境界が視認できない程度に一体化されている。
【００２６】
各絶縁体層２７は、例えば、誘電体材料（ＢａＴｉＯ３系材料、Ｂａ(Ｔｉ，Ｚｒ)Ｏ３系材料、（Ｂａ，Ｃａ）ＴｉＯ３系材料、ガラス材料、又はアルミナ材料など）を含むセラミックグリーンシートの焼結体から構成される。実際の素体２０では、各絶縁体層２７は、層間の境界が視認できない程度に一体化されている。
【００２７】
第１端子電極２１、第２端子電極２２及び第３端子電極２３は、素体２０の側面２０ｅ側に配置されている。第１端子電極２１、第２端子電極２２及び第３端子電極２３は、側面２０ｅの一部を素体２０の積層方向に沿って覆うように形成されていると共に、主面２０ｃの一部と主面２０ｄの一部とに形成されている。第１端子電極２１は、端面２０ｂ側に位置し、第３端子電極２３は、端面２０ａ側に位置している。第２端子電極２２は、第１端子電極２１と第３端子電極２３との間に位置している。
【００２８】
第４端子電極２４、第５端子電極２５及び第６端子電極２６は、素体２０の側面２０ｆ側に配置されている。第４端子電極２４、第５端子電極２５及び第６端子電極２６は、側面２０ｆの一部を素体２０の積層方向に沿って覆うように形成されていると共に、主面２０ｃの一部と主面２０ｄの一部とに形成されている。第４端子電極２４は、端面２０ｂ側に位置し、第６端子電極２６は、端面２０ａ側に位置している。第５端子電極２５は、第４端子電極２４と第６端子電極２６との間に位置している。
【００２９】
各端子電極２１〜２６は、導電材（たとえば、Ａｇ又はＰｄなど）を含んでいる。各端子電極２１〜２６は、導電性材料（たとえば、Ａｇ粉末又はＰｄ粉末など）を含む導電性ペーストの焼結体として構成される。各端子電極２１〜２６の表面にはめっき層が形成されている。めっき層は、たとえば電気めっきにより形成される。めっき層は、Ｃｕめっき層、Ｎｉめっき層、及びＳｎめっき層からなる層構造、又は、Ｎｉめっき層及びＳｎめっき層からなる層構造などを有する。
【００３０】
本実施形態では、第１端子電極２１は、入力ポート２を構成している。第２端子電極２２は、グランドＧを構成している。第３端子電極２３は、出力ポート３を構成している。第４端子電極２４は、結合ポート４を構成している。第５端子電極２５は、グランドＧを構成している。第６端子電極２６は、終端ポート５を構成している。
【００３１】
図３に示されるように、絶縁体層２７ｂ〜２７ｉ上には、導体層３０、導体層３１、導体層３２、導体層３３、導体層３４、導体層３５、導体層３６、導体層３６Ａ及び導体層３７がそれぞれ形成されている。導体層３６及び導体層３６Ａは、同一の絶縁体層２７ｈ上に配置されている。導体層３０〜３７は、位相調整回路９を構成している。導体層３０〜３７は、例えば、Ａｇ及びＰｄの少なくとも一方を導電性材料として含んで形成される。導体層３０〜３７は、導電性材料としてＡｇ及びＰｄの少なくとも一方を含む導電ペーストの焼結体として構成される。以下の説明において、導体層は、同様に形成される。
【００３２】
導体層３０、導体層３２及び導体層３４は、第１インダクタＬ１を構成している。導体層３０、導体層３２及び導体層３４は、図４に示されるように、スルーホール導体Ｈ１，Ｈ２により、電気的に接続されている。導体層３０の一端は、第１インダクタＬ１の第１端部Ｌ１ａを構成している。導体層３４の一端は、第１インダクタＬ１の第２端部Ｌ１ｂを構成している。
【００３３】
導体層３１、導体層３３及び導体層３５は、第２インダクタＬ２を構成している。導体層３１、導体層３３及び導体層３５は、スルーホール導体Ｈ３，Ｈ４により、電気的に接続されている。導体層３５の一端は、第２インダクタＬ２の第２端部Ｌ２ｂを構成している。導体層３１の一端は、第２インダクタＬ２の第１端部Ｌ２ａを構成している。第１インダクタＬ１と第２インダクタＬ２とは、導体層３６Ａにより電気的に接続されている。導体層３６Ａは、スルーホール導体Ｈ５により、導体層３７に電気的に接続されている。導体層３６は、第２端子電極２２及び第５端子電極２５に電気的に接続されている。導体層３６及び導体層３７は、キャパシタＣ１を構成している。
【００３４】
図３に示されるように、絶縁体層２７ｎ上には、導体層４７が形成されている。導体層４７は、主線路６を構成している。導体層４７の一端は、第１端子電極２１（入力ポート２）に電気的に接続されている。導体層４７の他端は、第３端子電極２３（出力ポート３）に電気的に接続されている。図６及び図７に示されるように、導体層４７は、導体層４７と導体層３８との間の距離ｄ１と、導体層４７と導体層５４との間の距離ｄ２とが等しくなる位置（ｄ１＝ｄ２）に配置されている。すなわち、導体層４７は、積層方向において、導体層３８と導体層５３との中央部に配置されている。
【００３５】
図３に示されるように、絶縁体層２７ｍ上には、導体層４５及び導体層４６が形成されている。絶縁体層２７ｏ上には、導体層４８及び導体層４９が形成されている。導体層４５及び導体層４８は、第１副線路７を構成している。導体層４５及び導体層４８は、図７に示されるように、スルーホール導体Ｈ６により電気的に接続されている。導体層４５の一端は、図４に示されるように、スルーホール導体Ｈ７により、導体層３４に電気的に接続されている。導体層４５の一端は、第１副線路７の第２端部７ｂを構成している。導体層４８の一端は、第４端子電極２４（結合ポート４）に電気的に接続されている。導体層４８の一端は、第１副線路７の第１端部７ａを構成している。
【００３６】
導体層４６及び導体層４９は、第２副線路８を構成している。導体層４６及び導体層４９は、スルーホール導体Ｈ８により電気的に接続されている。導体層４６の一端は、図６に示されるように、スルーホール導体Ｈ９により、導体層３１に電気的に接続されている。導体層４６の一端は、第２副線路８の第２端部８ｂを構成している。導体層４９の一端は、第６端子電極２６に電気的に接続されている。導体層４９の一端は、第２副線路８の第１端部８ａを構成している。
【００３７】
導体層４５と導体層４８、及び、導体層４６と導体層４９とは、積層方向において、導体層４７を挟む位置に配置されている。図５に示されるように、導体層４５と導体層４８とは、積層方向において、その一部が導体層４７と重なる位置に配置されている。導体層４６と導体層４９とは、積層方向において、その一部が導体層４７の重なる位置に配置されている。導体層４５及び導体層４８と導体層４７とが重なる部分は、第１結合部１０Ａを構成している。すなわち、導体層４７において、導体層４５及び導体層４８と重なる部分は、第１部分６Ａを構成している。導体層４６及び導体層４９と導体層４７とが重なる部分は、第２結合部１０Ｂを構成している。すなわち、導体層４７において、導体層４６及び導体層４９と重なる部分は、第２部分６Ｂを構成している。
【００３８】
図７に示されるように、導体層４５と導体層３８との間の距離Ｄ６は、導体層４８と導体層５４との間の距離Ｄ１と等しい（Ｄ６＝Ｄ１）。これにより、導体層４５及び導体層３８と、導体層４８及び導体層５４とは、導体層４５及び導体層４８と導体層４７とが積層方向において重なる部分（結合部分）において等価となる。図６に示されるように、導体層４６と導体層３８との間の距離Ｄ８は、導体層４９と導体層５４との間の距離Ｄ３とは等しい（Ｄ８＝Ｄ３）。これにより、導体層４６及び導体層３８と、導体層４９及び導体層５４とは、導体層４６及び導体層４９と導体層４７とが積層方向において重なる部分において等価となる。
【００３９】
図３に示されるように、絶縁体層２７ｊ上には、導体層３８が形成されている。絶縁体層２７ｒ上には、導体層５４が形成されている。導体層３８及び導体層５４は、積層方向において、導体層４５、導体層４６、導体層４７、導体層４８及び導体層４９を挟む位置に対向して配置されている。すなわち、導体層３８及び導体層５４は、積層方向において、主線路６、第１副線路７及び第２副線路８を挟む位置に対向して配置されている。導体層３８及び導体層５４のそれぞれは、第２端子電極２２（グランドＧ）及び第５端子電極２５（グランドＧ）に電気的に接続されている。導体層３８及び導体層５４は、グランド層（第１グランド層、第２グランド層）を構成している。
【００４０】
絶縁体層２７ｋ上には、導体層３９、導体層４０及び導体層４１が形成されている。また、絶縁体層２７ｋ上には、導体層５５が形成されている。導体層５５は、図４に示されるように、複数（ここでは４個）のスルーホール導体Ｈ１０により、導体層３８に電気的に接続されている。
【００４１】
図３に示されるように、絶縁体層２７ｌ上には、導体層４２、導体層４３及び導体層４４が形成されている。導体層３９と導体層４２とは、絶縁体層２７ｋを挟んで、積層方向において対向して配置されている。導体層３９及び導体層４２は、図４に示されるように、複数（ここでは２個）のスルーホール導体Ｈ１１により、導体層３８に電気的に接続されている。すなわち、導体層３９及び導体層４２は、グランドＧに電気的に接続されている。
【００４２】
導体層４０と導体層４３とは、絶縁体層２７ｋを挟んで、積層方向において対向して配置されている。導体層４０及び導体層４３は、複数（ここでは２個）のスルーホール導体Ｈ１２により、導体層３８に電気的に接続されている。すなわち、導体層４０及び導体層４３は、グランドＧに電気的に接続されている。導体層４１と導体層４４とは、絶縁体層２７ｋを挟んで、積層方向において対向して配置されている。導体層４１及び導体層４４は、スルーホール導体Ｈ１３により、導体層３８に電気的に接続されている。すなわち、導体層４１及び導体層４４は、グランドＧに電気的に接続されている。
【００４３】
導体層３９及び導体層４２は、積層方向において、導体層４８と重なる位置に配置されている。具体的には、図５に示されるように、導体層３９及び導体層４２は、積層方向において導体層４８が導体層４７と重ならない部分と、積層方向において重なる位置に配置されている。導体層４２は、絶縁体層２７ｌ〜２７ｎを介して、導体層４８と対向している。
【００４４】
導体層４０及び導体層４３は、積層方向において、導体層４９と重なる位置に配置されている。具体的には、図５に示されるように、導体層４０及び導体層４３は、積層方向において導体層４９が導体層４７と重ならない部分と、積層方向において重なる位置に配置されている。導体層４３は、絶縁体層２７ｌ〜２７ｎを介して、導体層４９と対向している。
【００４５】
導体層４１及び導体層４４は、積層方向において、導体層４８及び導体層４９と重なる位置に配置されている。具体的には、図５に示されるように、導体層４１及び導体層４４は、積層方向において導体層４８及び導体層４９が導体層４７と重ならない部分と、積層方向において重なる位置に配置されている。導体層４４は、絶縁体層２７ｌ〜２７ｎを介して、導体層４８及び導体層４９と対向している。
【００４６】
絶縁体層２７ｐ上には、導体層５０及び導体層５１が形成されている。絶縁体層２７ｑ上には、導体層５２及び導体層５３が形成されている。導体層５０と導体層５２とは、絶縁体層２７ｐを挟んで、積層方向において対向して配置されている。導体層５０及び導体層５２は、スルーホール導体Ｈ１４により、導体層５４に電気的に接続されている。すなわち、導体層５０及び導体層５２は、グランドＧに電気的に接続されている。
【００４７】
導体層５１と導体層５３とは、絶縁体層２７ｐを挟んで、積層方向において対向して配置されている。導体層５１及び導体層５３は、複数（ここでは３個）のスルーホール導体Ｈ１５により、導体層５４に電気的に接続されている。すなわち、導体層５１及び導体層５３は、グランドＧに電気的に接続されている。
【００４８】
導体層５０及び導体層５２は、積層方向において、導体層４５と重なる位置に配置されている。具体的には、図５に示されるように、導体層５０及び導体層５２は、積層方向において導体層４５が導体層４７と重ならない部分と、積層方向において重なる位置に配置されている。導体層５０は、絶縁体層２７ｍ〜２７ｏを介して、導体層４５と対向している。
【００４９】
導体層５１及び導体層５３は、積層方向において、導体層４６と重なる位置に配置されている。具体的には、図５に示されるように、導体層５１及び導体層５３は、積層方向において導体層４６が導体層４７と重ならない部分と、積層方向において重なる位置に配置されている。導体層５１は、絶縁体層２７ｍ〜２７ｏを介して、導体層４６と対向している。
【００５０】
導体層３９及び導体層４２、導体層４０及び導体層４３、導体層４１及び導体層４４、導体層５０及び導体層５２、及び、導体層５１及び導体層５３は、補助グランド層を構成している。補助グランド層は、主線路６と第１副線路７及び第２副線路８とが積層方向で重ならない部分であり且つ第１グランド層（導体層３８）との間の距離と第２グランド層（導体層５４）との間の距離とが異なる上記重ならない部分と、積層方向において対向して配置されている。積層型カプラ１では、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、
ａ＞ｃ≧ｂ
の関係を満たす。具体的には、例えば、図６に示される一例では、導体層４９と導体層３８との間が第１距離ａ、導体層４９と導体層５４との間が第２距離ｂ（Ｄ３）、及び、導体層４９と導体層４３との間が第３距離ｃ（Ｄ４）に相当する。本実施形態では、補助グランド層は、第２距離ｂと第３距離ｃとが等しくなる位置（ｃ＝ｂ）に設けられている。
【００５１】
本実施形態では、図７に示されるように、導体層４８において導体層４７と重ならない部分と導体層３８との間の距離（第１距離ａ）と、重ならない部分と導体層５４との間の距離（第２距離ｂ）とが異なっている。そのため、導体層３９及び導体層４２は、導体層４８において導体層４７と重ならない部分に配置されている。これにより、導体層４８が導体層４７と重ならない部分と導体層５４との間の距離Ｄ１（第２距離ｂ）と、導体層４８が導体層４７と重ならない部分と導体層４２との間の距離Ｄ２（第３距離ｃ）とは、等しくなる（Ｄ１＝Ｄ２）。つまり、導体層４２は、導体層４８において導体層４７と重ならない部分と導体層３８との間の距離から、重ならない部分と導体層５４との間の距離を引いた距離の分だけ、導体層３８から導体層４８側に離間した位置に配置されている。
【００５２】
本実施形態では、図６に示されるように、導体層４９において導体層４７と重ならない部分と導体層３８との間の距離（第１距離ａ）と、重ならない部分と導体層５４との間の距離（第２距離ｂ）が異なっている。そのため、導体層４０及び導体層４３は、導体層４９において導体層４７と重ならない部分に配置されている。これにより、導体層４９が導体層４７と重ならない部分と導体層５４との間の距離Ｄ３（第２距離ｂ）と、導体層４９が導体層４７と重ならない部分と導体層４３との間の距離Ｄ４（第３距離ｃ）とは、等しくなる（Ｄ３＝Ｄ４）。つまり、導体層４３は、導体層４９において導体層４７と重ならない部分と導体層３８との間の距離から、重ならない部分と導体層５４との間の距離を引いた距離の分だけ、導体層３８から導体層４９側に離間した位置に配置されている。
【００５３】
本実施形態では、導体層４８及び導体層４９において導体層４７と重ならない部分と導体層３８との間の距離（第１距離ａ）と、重ならない部分と導体層５４との間の距離（第２距離ｂ）とが異なっている。そのため、導体層４１及び導体層４４は、導体層４８及び導体層４９において導体層４７と重ならない部分に配置されている。これにより、導体層４８及び導体層４９が導体層４７と重ならない部分と導体層５４との間の距離（第２距離ｂ）と、導体層４８及び導体層４９が導体層４７と重ならない部分と導体層４４との間の距離（第３距離ｃ）とは、等しくなる。つまり、導体層４４は、導体層４８及び導体層４９において導体層４７と重ならない部分と導体層３８との間の距離から、重ならない部分と導体層５４との間の距離を引いた距離の分だけ、導体層３８から導体層４８及び導体層４９側に離間した位置に配置されている。
【００５４】
本実施形態では、図７に示されるように、導体層４５において導体層４７と重ならない部分と導体層３８との間の距離（第２距離ｂ）と、重ならない部分と導体層５４との間の距離（第１距離ａ）とが異なっている。そのため、導体層５０及び導体層５２は、導体層４５において導体層４７と重ならない部分に配置されている。これにより、導体層４５が導体層４７と重ならない部分と導体層５０との間の距離Ｄ５（第３距離ｃ）と、導体層４５が導体層４７と重ならない部分と導体層３８との間の距離Ｄ６（第２距離ｂ）とは、等しくなる（Ｄ５＝Ｄ６）。つまり、導体層５０は、導体層４５において導体層４７と重ならない部分と導体層５４との間の距離から、重ならない部分と導体層３８との間の距離を引いた距離の分だけ、導体層５４から導体層４５側に離間した位置に配置されている。
【００５５】
本実施形態では、図６に示されるように、導体層４６において導体層４７と重ならない部分と導体層３８との間の距離（第２距離ｂ）と、重ならない部分と導体層５４との間の距離（第１距離ａ）とが異なっている。そのため、導体層５１及び導体層５３は、導体層４６において導体層４７と重ならない部分に配置されている。これにより、導体層４６が導体層４７と重ならない部分と導体層５１との間の距離Ｄ７（第３距離ｃ）と、導体層４６が導体層４７と重ならない部分と導体層３８との間の距離Ｄ８（第２距離ｂ）とは、等しくなる（Ｄ７＝Ｄ８）。つまり、導体層５１は、導体層４６において導体層４７と重ならない部分と導体層５４との間の距離から、重ならない部分と導体層３８との間の距離を引いた距離の分だけ、導体層５４から導体層４６側に離間した位置に配置されている。
【００５６】
以上説明したように、本実施形態に係る積層型カプラ１では、素体２０内に、補助グランド層（導体層３９及び導体層４２、導体層４０及び導体層４３、導体層４１及び導体層４４、導体層５０及び導体層５２、及び、導体層５１及び導体層５３）が設けられている。補助グランド層は、主線路６（導体層４７）と第１副線路７（導体層４５及び導体層４８）及び第２副線路８（導体層４６及び導体層４９）とが積層方向で重ならない部分で且つ第１グランド層（導体層３８）との間の距離と第２グランド層（導体層５４）との間の距離とが異なる上記重ならない部分と、積層方向において対向して配置されている。積層型カプラ１では、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、ａ＞ｃ≧ｂの関係を満たす。この構成では、補助グランド層により、主線路と副線路とが重ならない部分における第３距離ｃと第２距離ｂとの距離の差を小さくできる。したがって、積層型カプラ１では、主線路と副線路とが重ならない部分において、インピーダンスにずれが生じることを抑制できる。したがって、積層型カプラ１では、アイソレーション特性の向上が図れる。
【００５７】
本実施形態に係る積層型カプラ１では、補助グランド層は、第２距離ｂと第３距離ｃとが等しくなる位置（ｂ＝ｃ）に設けられている。れにより、積層型カプラ１では、主線路と副線路とが重ならない部分において、インピーダンスにずれが生じることをより一層抑制できる。したがって、積層型カプラ１では、アイソレーション特性の向上が図れる。
【００５８】
図８では、実線は、本実施形態に係る積層型カプラ１のアイソレーション特性を示している。すなわち、補助グランド層が設けられている構成でのアイソレーション特性を示している。破線は、比較例に係る積層型カプラのアイソレーション特性を示している。すなわち、補助グランド層が設けられていない構成でのアイソレーション特性を示している。図８では、横軸は周波数（Frequency）［ＧＨｚ］、縦軸はアイソレーション（Isolation）［ｄＢ］を示している。
【００５９】
図８に示されるように、補助グランド層を備える積層型カプラ１では、インピーダンスのずれを抑制することができるため、従来の積層型カプラに比べて、高周波においてアイソレーションを低下させることができる。したがって、積層型カプラ１では、アイソレーション特性の向上が図れる。
【００６０】
本実施形態に係る積層型カプラ１では、補助グランド層は、複数の導体層で構成されている。具体的には、本実施形態では、補助グランド層は、２層の導体層（導体層３９及び導体層４２、導体層４０及び導体層４３、導体層４１及び導体層４４、導体層５０及び導体層５２、及び、導体層５１及び導体層５３）により構成されている。この構成では、補助グランド層の位置の調整を容易に行うことができる。つまり、導体層の数を変えることにより、位置を調整できる。したがって、主線路６と第１副線路７及び第２副線路８とが重ならない部分と補助グランド層との間の距離を容易に調整できる。
【００６１】
本実施形態に係る積層型カプラ１では、補助グランド層（導体層３９及び導体層４２、導体層４０及び導体層４３、導体層４１及び導体層４４、導体層５０及び導体層５２、及び、導体層５１及び導体層５３）は、第１グランド層（導体層３８）又は第２グランド層（導体層５４）とスルーホール導体（Ｈ１１、Ｈ１２、Ｈ１３、Ｈ１４、Ｈ１５）により電気的に接続されている。この構成では、補助グランド層と第１グランド層又は第２グランド層とを確実に電気的に接続することができる。
【００６２】
本実施形態に係る積層型カプラ１では、第１副線路７は、導体層４５及び導体層４７により構成されている。第２副線路８は、導体層４６及び導体層４９により構成されている。導体層４５及び導体層４７、及び、導体層４６及び導体層４９のそれぞれは、主線路６を構成する導体層４７を積層方向で挟む位置に配置され、導体層４７と積層方向で重なっている。この構成では、主線路６と第１副線路７及び第２副線路８との結合値を増加させることができる。
【００６３】
［第２実施形態］
続いて、第２実施形態について説明する。図９に示されるように、積層型カプラ１Ａは、入力ポート（入力端子）６０と、出力ポート（出力端子）６１と、結合ポート６２と、終端ポート６３と、を備えている。積層型カプラ１Ａは、入力ポート６０と出力ポート６１との間に接続される主線路６４と、主線路６４と電磁結合する副線路６５と、備えている。主線路６４と副線路６５とが結合する部分を、結合部６７とする。
【００６４】
続いて、積層型カプラ１Ａの構造について説明する。積層型カプラ１Ａは、素体２０Ａと、第１端子電極２１（図２参照）と、第２端子電極２２と、第３端子電極２３と、第４端子電極２４と、第５端子電極２５と、第６端子電極２６と、を備えている。素体２０Ａは、図１０に示されるように、複数の絶縁体層６８（６８ａ〜６８ｋ）が積層されることによって構成されている。
【００６５】
本実施形態では、第１端子電極２１は、入力ポート６０を構成している。第２端子電極２２は、グランドを構成している。第３端子電極２３は、出力ポート６１を構成している。第４端子電極２４は、結合ポート６２を構成している。第５端子電極２５は、グランドを構成している。第６端子電極２６は、終端ポート６３を構成している。
【００６６】
図１０に示されるように、絶縁体層６８ｇ上には、導体層７３が形成されている。導体層７３は、主線路６４を構成している。導体層７３の一端は、第１端子電極２１（入力ポート６０）に電気的に接続されている。導体層７３の他端は、第３端子電極２３（出力ポート６１）に電気的に接続されている。
【００６７】
絶縁体層６８ｈ上には、導体層７４が形成されている。導体層７４は、副線路６５を構成している。導体層７４の一端は、第４端子電極２４（結合ポート６２）に電気的に接続されている。導体層７４の他端は、第６端子電極２６（終端ポート６３）に電気的に接続されている。導体層７３と導体層７４とは、積層方向において、その一部が重なる位置に配置されている。導体層７３と導体層７４とが重なる部分は、結合部６７を構成している。
【００６８】
絶縁体層６８ｄ上には、導体層７０が形成されている。絶縁体層６８ｋ上には、導体層７８が形成されている。導体層７０及び導体層７８は、積層方向において、導体層７３及び導体層７４を挟む位置に対向して配置されている。すなわち、導体層７０及び導体層７８は、積層方向において、主線路６４及び副線路６５を挟む位置に対向して配置されている。導体層７０及び導体層７８のそれぞれは、第２端子電極２２及び第５端子電極２５に電気的に接続されている。導体層３８及び導体層５４は、グランド層（第１グランド層、第２グランド層）を構成している。
【００６９】
図１３に示されるように、導体層７３と導体層７０（第１グランド層）との間の距離Ｄ１５（図１４の距離Ｄ１７）は、導体層７４と導体層７８（第２グランド層）との間の距離Ｄ１０（図１４の距離Ｄ１２）と等しい（Ｄ１５＝Ｄ１０）。これにより、導体層７３及び導体層７０と、導体層７４及び導体層７８とは、導体層７３と導体層７４とが積層方向において重なる部分（結合部分）において等価となる。
【００７０】
図１０に示されるように、絶縁体層６８ｅ上には、導体層７１及び導体層７２が形成されている。導体層７１は、図１１に示されるように、スルーホール導体７１ａにより、導体層７０に電気的に接続されている。導体層７２は、図１２に示されるように、スルーホール導体７２ａにより、導体層７０に電気的に接続されている。導体層７１及び導体層７２は、グランドに電気的に接続されている。
【００７１】
導体層７１及び導体層７２は、積層方向において、導体層７４と重なる位置に配置されている。具体的には、導体層７１及び導体層７２は、積層方向において導体層７４が導体層７３と重ならない部分と、積層方向において重なる位置に配置されている。導体層７１及び導体層７２は、絶縁体層６８ｅ〜６８ｇを介して、導体層７４と対向している。
【００７２】
図１０に示されるように、絶縁体層６８ｊ上には、導体層７５及び導体層７６が形成されている。導体層７５は、図１１に示されるように、スルーホール導体７５ａにより、導体層７８に電気的に接続されている。導体層７６は、図１２に示されるように、スルーホール導体７６ａにより、導体層７８に電気的に接続されている。導体層７５及び導体層７６は、グランドに電気的に接続されている。
【００７３】
導体層７５及び導体層７６は、積層方向において、導体層７３と重なる位置に配置されている。具体的には、導体層７５及び導体層７６は、積層方向において導体層７３が導体層７４と重ならない部分と、積層方向において重なる位置に配置されている。導体層７５及び導体層７６は、絶縁体層６８ｇ〜６８ｉを介して、導体層７３と対向している。
【００７４】
導体層７１及び導体層７２、及び、導体層７５及び導体層７６は、補助グランド層を構成している。補助グランド層は、主線路６４と副線路６５とが積層方向で重ならない部分であり且つ第１グランド層（導体層７０）との間の距離と第２グランド層（導体層７８）との間の距離とが異なる上記重ならない部分と、積層方向において対向して配置されている。積層型カプラ１Ａでは、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、
ａ＞ｃ≧ｂ
の関係を満たす。具体的には、例えば、図１３に示される一例では、導体層７４と導体層７０との間が第１距離ａ、導体層７４と導体層７８との間が第２距離ｂ（Ｄ１０）、及び、導体層７４と導体層７１との間が第３距離ｃ（Ｄ１１）に相当する。本実施形態では、補助グランド層は、第２距離ｂと第３距離ｃとが等しくなる位置（ｃ＝ｂ）に設けられている。
【００７５】
本実施形態では、導体層７４において導体層７３と重ならない部分と導体層７０との間の距離（第１距離ａ）と、重ならない部分と導体層７８との間の距離（第２距離ｂ）とが異なっている。そのため、導体層７１及び導体層７２は、導体層７４において導体層７３と重ならない部分に配置されている。これにより、図１３に示されるように、導体層７４が導体層７３と重ならない部分と導体層７８との間の距離Ｄ１０（第２距離ｂ）と、導体層７４が導体層７３と重ならない部分と導体層７１との間の距離Ｄ１１（第３距離ｃ）とは、等しくなる（Ｄ１０＝Ｄ１１）。また、図１４に示されるように、導体層７４が導体層７３と重ならない部分と導体層７８との間の距離Ｄ１２（第２距離ｂ）と、導体層７４が導体層７３と重ならない部分と導体層７２との間の距離Ｄ１３（第３距離ｃ）とは、等しくなる（Ｄ１２＝Ｄ１３）。つまり、導体層７１及び導体層７２は、導体層７４において導体層７３と重ならない部分と導体層７０との間の距離から、重ならない部分と導体層７８との間の距離を引いた距離の分だけ、導体層７０から導体層７４側に離間した位置に配置されている。
【００７６】
本実施形態では、導体層７３において導体層７４と重ならない部分と導体層７０との間の距離（第２距離ｂ）と、重ならない部分と導体層７８との間の距離（第１距離ａ）とが異なっている。そのため、導体層７５及び導体層７６は、導体層７３において導体層７４と重ならない部分に配置されている。これにより、図１３に示されるように、導体層７３が導体層７４と重ならない部分と導体層７５との間の距離Ｄ１４（第３距離ｃ）と、導体層７３が導体層７４と重ならない部分と導体層７０との間の距離Ｄ１５（第２距離ｂ）とは、等しくなる（Ｄ１４＝Ｄ１５）。また、図１４に示されるように、導体層７３が導体層７４と重ならない部分と導体層７６との間の距離Ｄ１６（第３距離ｃ）と、導体層７３が導体層７４と重ならない部分と導体層７０との間の距離Ｄ１７（第２距離ｂ）とは、等しくなる（Ｄ１６＝Ｄ１７）。つまり、導体層７５及び導体層７６は、導体層７３において導体層７４と重ならない部分と導体層７８との間の距離から、当該部分と導体層７０との間の距離を引いた距離の分だけ、導体層７８から導体層７３側に離間した位置に配置されている。
【００７７】
以上説明したように、本実施形態に係る積層型カプラ１Ａでは、素体２０Ａ内に、補助グランド層（導体層７１及び導体層７２、導体層７５及び導体層７６）が設けられている。補助グランド層は、主線路６４（導体層７３）と副線路６５（導体層７４）とが積層方向で重ならない部分で且つ第１グランド層（導体層７０）との間の距離と第２グランド層（導体層７８）との間の距離とが異なる部分と、積層方向において対向して配置されている。積層型カプラ１Ａでは、重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、ａ＞ｃ≧ｂの関係を満たす。この構成では、補助グランド層により、主線路と副線路とが重ならない部分における第３距離ｃと第２距離ｂとの距離の差を小さくできる。したがって、積層型カプラ１Ａでは、主線路と副線路とが重ならない部分において、インピーダンスのずれが生じることを抑制できる。したがって、積層型カプラ１Ａでは、アイソレーション特性の向上が図れる。
【００７８】
以上、本発明の実施形態について説明してきたが、本発明は必ずしも上述した実施形態に限定されるものではなく、その要旨を逸脱しない範囲で様々な変更が可能である。
【００７９】
第１実施形態では、積層型カプラ１が位相調整回路９を備える形態を一例に説明した。しかし、位相調整回路は備えていなくてもよい。
【００８０】
上記実施形態では、補助グランド層は、第２距離ｂと第３距離ｃとが等しくなる位置に設けられている形態を一例に説明した。しかし、積層型カプラでは、主線路と副線路とが重ならない部分と第１グランド層との間の距離及び重ならない部分と第２グランド層との間の距離のうち、距離が長い方を第１距離ａ、距離が短い方を第２距離ｂ、重ならない部分と補助グランド層との間の第３距離をｃとした場合、
ａ＞ｃ≧ｂ
の関係を満たしていればよい。すなわち、第３距離ｃは、第２距離ｂ以上であってもよい。
【００８１】
上記実施形態では、各端子電極２１〜２３が側面２０ｅ及び主面２０ｃ，２０ｄに配置され、各端子電極２４〜２６が側面２０ｆ及び主面２０ｃ，２０ｄに配置される形態を一例に説明した。しかし、各端子電極２１〜２６の形状（配置形態）はこれに限定されない。
【符号の説明】
【００８２】
１，１Ａ…積層型カプラ（方向性結合器）、２，６０…入力ポート（入力端子）、３，６１…出力ポート（出力端子）、６，６４…主線路、７…第１副線路、８…第２副線路、２０，２０Ａ…素体、２１…第１端子電極（入力端子）、２３…第３端子電極（出力端子）、３８，５４，７０，７８…導体層（グランド層）、３９，４０，４１，４２，４３，４４，５０，５１，５２，５３…導体層（補助グランド層）、６５…副線路、７１ａ，７２ａ，７５ａ，７６ａ…スルーホール導体、Ｈ１１，Ｈ１２，Ｈ１３，Ｈ１４，Ｈ１５…スルーホール導体。
【図１】
2018074433.tif 000003
【図２】
2018074433.tif 000004
【図３】
2018074433.tif 000005
【図４】
2018074433.tif 000006
【図５】
2018074433.tif 000007
【図６】
2018074433.tif 000008
【図７】
2018074433.tif 000009
【図８】
2018074433.tif 000010
【図９】
2018074433.tif 000011
【図１０】
2018074433.tif 000012
【図１１】
2018074433.tif 000013
【図１２】
2018074433.tif 000014
【図１３】
2018074433.tif 000015
【図１４】
2018074433.tif 000016